(57)【要約】【課題】  水を伝搬媒体として高周波振動エネルギーを効率良く放射させて、人体や家畜の洗浄や血行促進及び抗菌消臭をなし、或いは水中の菌類や微生物の繁殖抑制を図る方法及び装置の提供。【解決手段】  圧電磁器振動板材と金属板材及び金属膜とをユニモルフ構造若しくはバイモルフ構造に接合のうえ、放射振動板材の内面に均等に分散配置し、且背面に振動吸収板材が挟持されたうえ、密閉基板と放射振動板材とで密閉形成された高周波振動放射具と、該放射振動板材より２０乃至１００ｋＨｚの高周波振動を放射させる高周波電源とからなり、高周波振動放射具を水と接触させて洗浄や血行促進、抗菌消臭をなす。【選択図】図５
2008259793.tif 000002
【特許請求の範囲】
【請求項１】
圧電磁器板材と金属板材及び金属膜とをユニモルフ構造若しくはバイモルフ構造に接合したうえ、放射振動板材の内面に略均等に分散配置され、且その背面に振動吸収板材が挟持されたうえ、放射振動板材と密閉基板とにより密閉形成された高周波振動放射具と、該高周波振動放射具のユニモルフ構造若しくはバイモルフ構造に高周波電力を付加せしめて、その高周波振動が２０乃至１００ｋＨｚの範囲の高周波振動を間欠的若しくは連続的に放射振動させる発振回路を有する高周波電源とにより構成される、高周波振動による洗浄装置。
【請求項２】
高周波振動放射具が、所要寸法形状の絶縁性基板に且その上面に微細凹凸面が形成された金属背極板が接合され、更にこの金属背極板にはその上面に金属膜を有する絶縁シートが密閉接合されたうえ、これら全面が耐水被覆層で被覆された構成からなる、請求項１記載の高周波振動による洗浄装置。
【請求項３】
高周波振動放射具が、上部に放射振動部と下部に対向するように脚部が磁歪フェライトを用いて形成され、且対向する脚部下端にバイアス磁場フェライト磁石が挟持され、而も脚部上部には励起用コイルが巻着され、この励起用コイルに共振周波数に等しい高周波電力を付加させて、バイアス磁場に交番磁場を重ねて高周波振動放射をなし、且この全面を密閉基板により密閉形成させた構成からなる、請求項１記載の高周波振動による洗浄装置。
【請求項４】
高周波振動放射具の放射振動面を、浴槽や水槽、給水管、排水管や循環管内の水と接触させ、その放射振動数が２０乃至１００ｋＨｚの高周波振動を間欠的若しくは連続的に放射伝搬させ、以って人体や家畜類の洗浄や血行促進、抗菌消臭或いは給水管、排水管や循環管路内の抗菌消臭若しくは赤錆、スケール、スライムの付着物の除去や付着重積防止をなす、高周波振動による洗浄方法。
【請求項５】
高周波振動放射具より高周波振動を間欠的若しくは連続的に放射振動させる高周波電源に、電池若しくはバッテリーが内蔵されてなる請求項１乃至請求項３記載の高周波振動による洗浄装置。
【請求項６】
高周波振動放射具が多角形状若しくは多面形状に形成されてなる、請求項１乃至請求項３記載の高周波振動による洗浄装置。
【発明の詳細な説明】
【技術分野】
【０００１】  本発明は伝搬インピーダンスの高い水を伝搬媒体として高周波振動エネルギーを効率良く放射させて、人体や家畜類の洗浄や血行促進及び消臭抗菌をなし、或いは水中の菌類や微生物類の繁殖抑制のなしえる方法及び装置に関する。
【背景技術】
【０００２】  現在においては財やサービスの生産手段はもとより、提供される財やサービスにも環境や省エネルギー、安全性、健康維持或いは高齢者への対応等の要件を具備することが不可欠とされている。
即ち従来までの状況について見れば、入浴においては身体からの発汗や分泌物と且汚れの洗浄及び温浴に伴う疲労回復には有効な方法であるが、浴温はせいぜい４２乃至４５℃以下で利用されるものであるから、人体より浴水内に剥離混入する細菌類等は有機物や油脂分を栄養源として繁殖し易く、仮令排水させても風呂釜との管路内に残留して繁殖し、再利用時には浴水が著しく汚染された状態となる。【０００３】  加えて入浴に際しては、温浴とともに石けんや洗剤を用いて身体を擦りながら発汗や分泌物或いは汚れの除去を図る事がなされているものの、高齢化に伴い皮膚の新陳代謝機能が低下することから、石けんや洗剤により擦り除去することは皮膚を著しく損傷せしむるばかりか、該損傷部分からの雑菌類の進入による数多の皮膚炎症を惹起せしめている結果となっている。【０００４】  更に近年においては健康志向を反映して、全国各地にスーパー銭湯と称される温浴施設が林立しているものであるが、該スーパー銭湯では大人数の利用がなされるため、膨大量に昇る浴水と且加熱エネルギーを要することから省浴水化及び省エネルギー化への対処としてその殆んどが循環方式を採用している。而しながら大人数の利用はそれだけ浴水中に多種多様の発汗や分泌物及び雑菌類が混入するばかりか、この雑菌類が循環管路内にスライムとなって付着するとともに、このスライムがレジオネラ菌の格好の温床ともなる。
これがため温浴施設においては定期に次亜鉛酸ソーダ等の殺菌剤による消毒を施すものの、スライム内に潜在するレジオネラ菌には十分な殺菌効果が発揮されぬため、適宜の栄養分と且温度条件とにより急速に繁殖し、度々人命を損なう惨事を惹起せしめている。【０００５】  他方養牛、養豚、養鶏等の畜産業においても、古くからの自然条件下での開放的飼育から、近年においては牛舎や豚舎或いは鶏舎等の施設内における半開放的飼育に転換されているものの、かかる半開放的施設内の床面は飼育される家畜類の糞尿や飼料残滓或いは泥土等が混在した状態におかれ、且かかる施設内は比較的温暖であることとも相俟って雑菌類が猛烈に繁殖した状態におかれている。そして乳牛においては乳房部位に昆虫類が飛来掴止し若しくは生理的痒み等を除去するため雑菌類の付着する尾部で掻打することによる乳房炎の発症や、或いは養鶏においてはコッカス菌類による脱毛死亡事故が多発している。これがため実情としては抗生物質の混入された飼料や或いは殺菌剤による消毒をなさざるを得ない状況におかれている。【０００６】  加えて近年では都市化による都市部への極度の集中化に伴い、土地の有効利用のうえから事務所や店舗はもとより住居に至るまで高層若しくは超高層建物への転換が図られている。
而してかかる高層若しくは超高層建物においては膨大数に亘って区画され若しくは区分所有されて利用されるもので、それぞれの区画や区分所有内では多様な業務や生活がなされるものであるから、排水される水質も極めて多種多様な水質に亘り、且各階毎には横排水管で而も所要の間隔毎に設けられた縦排水管へと連結されて浄化槽や下水道へと放流されるものである。而しながらかかる排水管は建物構造内に配設されるため年間を通して温暖なうえ、排水される水質も生活雑排水や調理用排水等有機物や油脂等が多く、従って該排水管内には細菌類や微生物類の繁殖によるスライムの付着が重積され、更には該スライムに食品残滓や毛髪等が絡着され、短期に排水管の閉塞や臭気の発生も招来されるため、定期に排水管清掃をなさねばならず、莫大な費用と時間及び労力が強いられる結果となっている。【０００７】  発明者はかかる問題に対して早くから環境や省エネルギー、安全性或いは健康保持面等にも対処できる解決手段について鋭意研究を重ねてきた結果、圧電セラミックスのピエゾ電気逆効果を利用した圧電磁器振動素子若しくは磁歪振動素子によって略１００Ｈｚ乃至２００ＭＨｚ程度に亘る振動発生が可能であることを究明するとともに、特定の高周波振動によっては水に対してキャビテーション作用が発揮され且その使用安全性が高いこと等により、既に水中に投げ込んで超音波を発生させるものや、美容器のプロープを振動させて美肌効果を高めるもの、或いは液体を収納する容器と一体に低周波発信器と高圧電源を隔離室を介して保持させ、超音波発生素子から発生させた超音波で被処理物の洗浄をなす装置等が公知されている。
【特許文献１】  特開平１０−５２６６９号公報
【特許文献２】  特開２０００−２３３００５号公報
【特許文献３】  特開平５−２５３２７５号
【０００８】  而して本発明は浴水中の細菌類や微生物類の繁殖を抑制させて浴槽や水槽若しくは循環管路内の浄化とレジオネラ菌の繁殖防止を初め、洗剤の使用や擦りを要することなく身体の浄化を図り若しくは家畜類の洗浄と抗菌による防病と育成促進を図ること、或いは給水管や排水管内の細菌類や微生物類の繁殖抑制と給水管や排水管内への赤錆、スケール、スライム等の付着物の除去や付着重積を防止することにある。これがためには高周波振動の振動数領域を広範囲に亘り、且間欠的若しくは連続的に放射させ而も伝搬インピーダンスの高い水を伝搬媒体として放射伝搬させることにより、低出力で高い洗浄効果や血行促進或いは消臭抗菌効果が発揮されることに想到し本発明に至った。
【発明の開示】
【発明が解決しようとする課題】
【０００９】  本発明は伝搬インピーダンスの高い水を伝搬媒体として高周波振動エネルギーを効率良く放射させ、人体や家畜類の洗浄や血行促進及び消臭抗菌をなし、或いは水中の菌類や微生物類の繁殖抑制しえる高周波振動による洗浄方法及びその装置を提供することにある。
【課題を解決するための手段】
【００１０】  上述の課題を解決するために本発明が用いた技術的手段は、その高周波振動放射具には２０乃至１００ｋＨｚの高周波振動数を振動放射しえる圧電磁器板材の一側面に金属板材及び他側面には銀、銅等の金属膜を接合したユニモルフ構造、若しくは金属板材の両側面に圧電磁器板材及びその外側面にそれぞれ銀、銅等の金属膜を接合してバイモルフ構造となしたうえ、金属やセラミックス若しくは合成樹脂素材からなる放射振動板材の内面に略均等に分散配置させ、且このユニモルフ構造若しくはバイモルフ構造体の背面には、高弾性素材からなり高周波振動を吸収緩和しえる振動吸収板材が挟持されてなり、而も密閉基板と放射振動板とにより密閉されて高周波振動放射具が形成されている。【００１１】  更に高周波振動放射具としては圧電磁器板材に代えて磁歪振動板材を使用することも可能で、磁歪振動板材による場合は予め所要の形状に磁歪フェライトを用いて形成してなる磁歪振動板材の脚部下端にバイアス磁場フェライト磁石を挟持させたうえ、脚部上部にそれぞれ励起用コイルを巻着させ、この励起用コイルに共振周波数に等しい周波数の高周波電力を付加してバイアス磁場に交番磁場を重ねることにより、磁歪振動板材より高周波振動を放射せしめるもので、脚部側面や下面には高周波振動を吸収緩和しえる高弾性素材からなる振動吸収板材が挟持されたうえ、全体を金属若しくはセラミックス若しくは合成樹脂素材からなる密閉基板により密閉形成された構成からなる。【００１２】  加えて高周波振動放射具としてコンデンサー振動によるものを提案されるもので、所要の寸法に形成された絶縁性基材の上面は金属素材からなり且その上面側に微細凹凸面が形成された金属背極板が接合され、更にこの金属背極板にはその上面に金属蒸着等の金属膜が施された合成樹脂フィルム材が接合されることで、微細凹凸面による空気層をコンデンサーにしてコンデンサースピーカーとして機能させ、且これら全面を耐水被覆層で密閉させた構成からなるものである。【００１３】  そしてこれら高周波振動放射具には、それぞれの高周波振動放射具を駆動させて高周波振動を振動放射させるため、高周波電源より所定の高周波数若しくは所定範囲の高周波数の高周波電力を間欠的に若しくは連続的に付加させる構成とにより、本発明高周波振動による洗浄装置が形成されるものであって、且この高周波振動放射具を浴槽や水槽若しくは給水管、排水管路内等において高周波伝搬インピーダンスの高い水と直接接触させた状態で効率良く振動放射伝搬させて、人体や家畜類の洗浄や血行促進及び抗菌消臭或いは水中の菌類、微生物類の繁殖抑制をなす高周波振動による洗浄方法に存する。
【発明の効果】
【００１４】  本発明は上述の如き構成からなるもので、高周波電源もトランジェスターやサイリスターの利用により、所要の高周波数若しくは所要の範囲の高周波数で且適宜の間隔を以って間欠的に若しくは連続的に、高周波振動放射具に対して小型で簡便な回路と大きな出力を以って付加させることができ、且高周波振動放射具が圧電磁器板材からなりユニモルフ若しくはバイモルフ構造によるときは、共振波長に関係なく極めて広範囲の高周波振動をその放射振動板材より対向方向に、拡散減衰させることなく振動放射がなしえる。加えて高周波振動放射具がコンデンサースピーカーの構成からなる場合には、高出力の振動放射が要請されぬ場合には極めて広面積に亘っての高周波振動放射がなされる。
更に高周波振動放射具が磁歪振動板材からなる場合には、バイアス磁場と交番磁場との重ね合せにより振動放射がなされるため、小面積の振動放射面より強力な高周波振動放射がなしえる。【００１５】  そして本発明高周波振動放射具は、その外周面全体が放射振動板及び密閉基板とにより密閉形成されてなるばかりか、該高周波振動放射具の圧電磁器板材やコンデンサースピーカーの絶縁性基材或いは磁歪振動板材等の背面や脚部側面には、高弾性素材からなる振動吸収板材が挟持挟着されてなるから、浴槽や水槽若しくは循環管路等において、その振動放射面が水に浸漬され若しくは水と接触するように浴槽や水槽或いは循環管路に係止、吸着、或いは螺着固定等により設置されても高周波振動が浴槽や水槽或いは循環管路に直接振動放射されることが防止され、設置構築物の劣化や脆化も保護される。【００１６】  加えて高周波振動放射面には、高周波振動の伝搬インピーダンスの高い水と接触しているため、高周波振動エネルギーが浴槽や水槽全体に効率よく伝搬され、水のキャビテーション化の促進により洗浄効果はもとより発生する−ＯＨイオンによる高い殺菌力と分解力とによる抗菌性と且消臭性も発揮され、而も高周波振動数の適宜変換や間欠的高周波振動の放射で、人体や家畜類においては微細振動の付加により血行促進が著しく高まり、且浴槽や水槽若しくは給水管、排水管等循環管路内の付着重積している赤錆、スケール、スライムの除去効果や付着防止効果も発揮される。
【発明を実施するための最良の形態】
【００１７】  高周波振動放射具が圧電磁器板材を用いたバイモルフ構造からなり、この高周波振動放射具に高周波電源よりその周波数が２０ｋＨｚ乃至１００ｋＨｚの高周波数で、且適宜の間隔を以って間欠的若しくは連続的に付加せしめるとともに、該高周波振動放射具を水中に浸漬させ若しくは水が接触する状態で高周波振動放射をなす。
【実施例１】
【００１８】  以下に本発明実施例を浄化装置の図とともに詳細に説明すれば、図１は本発明浄化装置１の高周波振動放射具１Ａが圧電磁器板材１０Ａにより形成される場合の断面説明図であって、同図１のＡには圧電磁器板材１０Ａによるユニモルフ構造の場合が示されてなるもので、所要の寸法形状に形成された圧電磁器板材１０Ａの一側面にはステンレスや黄銅等からなる金属板材１１Ａが銀、銅若しくはアルミ等の金属膜１２Ａを通電極として介在させ接合され、且圧電磁器板材１０Ａの他側面にも銀、銅若しくはアルミ等の金属膜１２Ａが通電極として接合された構成からなるものである。
かかる場合において圧電磁器板材１０Ａの素材としては通常チタン酸ジルコン酸鉛（ＺｒｏＴｉｏ）Ｏ３が使用されるが、更に最近に至っては第３成分としてマグネシウム・ニオブ酸鉛を付加したＰｂＴｉｏ３−ＰｂＺｒＯ３−Ｐｂ（ＭｇＮｂ）Ｏ３等も使用されている。
加えて圧電磁器板材１０Ａはユニモルフ構造やバイモルフ構造にかかわりなく、共振波長の制約を受けることなく略２０乃至１００ｋＨｚの高周波振動を放射しえるもので、より望ましくはその形状が円形で且その直径においては略２乃至６ｃｍ、厚さにおいては略０．１乃至０．５ｍｍ程度が望まれる。【００１９】  更に図１のＢにはバイモルフ構造による断面説明図が示されており、該バイモルフ構造においては所要の寸法形状に形成されてなる圧電磁器板材１０Ａがステンレスや黄銅からなる金属板材１１Ａを挟んで接合され、且それぞれの圧電磁器板材１０Ａの外面に銀、銅、アルミ等の金属膜１２Ａが通電極として接合された構成からなるものである。【００２０】  図２は本発明浄化装置１における高周波振動放射具１Ａの断面説明図であって、使用目的に合せて要請される高周波振動エネルギーの放射面積に合せて形成された振動放射板材１０の内面には、圧電磁器板材１０Ａからなるユニモルフ構造若しくはバイモルフ構造のものが略均等に分散配置されており、且その背面及び空隙部分には、高弾性素材からなり高周波振動を吸収緩和しえる振動吸収板材１０Ｂが挟持されている。
この振動吸収板材１０Ｂは、高周波振動放射具１Ａの実用使用に際して、浴槽３Ａや水槽３Ｂ或いは循環管路３Ｃ等に適宜手段で設置させる場合に、これら浴槽３Ａや水槽３Ｂ或いは循環管路３Ｃ等の設備３への高周波振動の放射を遮断して、該設備３等の劣化や脆化の防止と且高周波振動に伴う振動音の発生防止にある。かかる場合の振動吸収板材１０Ｂの具体的素材としては、合成ゴムやポリウレタン樹脂素材による軟質独立気泡シート材が挙げられる。【００２１】  そして振動放射板材１０の内面には、圧電磁器板材１０Ａからなるユニモルフ構造若しくはバイモルフ構造のものが略均等に分散されて配置され、且その背面や空隙部分に振動吸収板材１０Ｂが挟持されたうえは、密閉基板１１Ｂにより振動放射板材１０とを密閉接合させて、水中使用若しくは水との接触使用に際しての十分な防止性を付与せしめている。
かかる場合における密閉基板１１Ｂの素材としては特段に制約は無いが、成可く強靭で且振動放射板材１０との接着性に優れる素材であれば良い。そして、それぞれの設備３の適宜部位に高周波振動放射具１Ａ等を係止や固定させるうえから、必要に応じて密閉基板１１Ｂの裏面には固定フック１２Ｂ若しくは吸着盤１３Ｂ等を設けることも提案される。図３には前記高周波振動放射具１Ａの正面図が示されている。無論、高周波振動放射具１Ａはかかる形状に限定されることなく、目的に応じて多角形状や多面形状も使用される。【００２２】  かくしてなる高周波振動放射具１Ａには、所望の高周波振動エネルギーを振動放射せしむるうえから、高周波電源２より所望の高周波電力２Ａを付加させるものであるが、この高周波電源２からの高周波電力２Ａは水をキャビテーションさせて微細気泡の発生とその崩壊による衝撃力を以って洗浄をなし、及び気泡崩壊に伴い創出される−ＯＨイオンによる抗菌や消臭作用の発揮、或いは高周波振動に伴う振動波の刺激による人体や家畜類へのマッサージ作用或いは浴槽や水槽或いは給水管、排水管等の循環管路内に付着重積する赤錆、スケール、スライムの除去や付着防止、若しくは人体や家畜類の体内透過による血行促進等の目的により、その高周波数や付加方法も変化させることが望ましい。【００２３】  即ち水のキャビテーションによる軽度の洗浄を図るものでは２５乃至４０ｋＨｚの高周波をトランジェスタ自励発振回路２０Ａより連続的に付加せしむることでなしえるものであって、図４のＡには高周波振動３８ｋＨｚ放射、出力２０Ｗの場合のトランジェスタ自励発振回路２０Ａが示されている。
反面強力な高周波振動放射をなすうえからは、主発振／電力増幅方式が好適で且高周波振動放射具１Ａも圧電磁器板材１０Ａによるユニモルフ構造やバイモルフ構造に代えて、磁歪振動板材１０Ｃを用いた高周波磁歪振動放射具１Ｃの使用が望まれるもので、図４のＢには振動放射が２８ｋＨｚで放射出力３０Ｗの場合の主発振／電力増幅発振回路図２０Ｂが示されている。【００２４】  そして近年においてはサイリスタ（ＳＣＲ）の採用により大出力の高周波振動放射のための発振回路が、小型で簡易且安価に作成できることから、かかるサイリスタ（ＳＣＲ）発振回路２０Ｃの採用が好適であって、図４のＣにサイリスタ発振回路２０Ｃが示されてなるもので、該サイリスタ発振回路２０Ｃは振動放射が１０ｋＨｚで放射出力５００Ｗの場合のもので、かかる如く振動放射出力が大きな場合には、高周波振動放射具１Ａも圧電磁器板材１０Ａをボルト締めで立体的に組合せたランジュバン型放射具（ＢＬＴ）の使用が望ましい。【００２５】  加えて該サイリスタ発振回路２０Ｃで明らかな如く、パルス発生器を内蔵させておき任意周波数の高周波パルスを適宜に発生させ若しくは所要の間隔を以って間欠的に発生させることにより、高周波振動放射も多様な高周波振動と且連続的若しくは間欠的に放射させることができる。【００２６】  図５は圧電磁器板材１０Ａによる高周波振動放射具１Ａでの浴槽３Ａにおける使用態様図であって、浴槽３Ａの壁面に高周波振動放射具１Ａの背面を係止若しくは吸着固定させたうえ、該高周波振動放射具１Ａ全体が水浸しえる水位まで浴水３０を注入のうえ、高周波電源２より高周波電力２Ａを付加させる。
更に他の使用方法としては、該高周波振動放射具１Ａを浴槽３Ａの底面に敷設させ、若しくは浴水３０面に浮遊させて使用しても良い。【００２７】  図６は牛や豚、羊等の家畜類の洗浄や抗菌消臭に使用する場合の態様図であって、所要容積の水槽３Ｂには家畜類の歩行路４０が設けられ、且水槽３Ｂの壁面に高周波振動放射具１Ａの放射振動板材１０面を対向配設させて高周波電力２Ａを付加させ、歩行路４０に沿って家畜類を歩行移動させることが提案される。【００２８】  図７は給水管若しくは排水管の循環管路３Ｃ内の給水若しくは排水循環水３１の洗浄や抗菌消臭及び赤錆、スケール、スライム等の剥除若しくは付着防止のための使用態様図であって、かかる場合の使用に際しては比較的振動放射出力の強い振動放射が望まれるため、圧電磁器板材１０Ａを用いたランジュバン型放射具や高周波磁歪振動放射具１Ｃが好適であって、配設方法としては排水管若しくは循環管路３Ｃの連結端縁に、その振動放射板材１０を排水や循環水と接触するように嵌着させるか、若しくは該排水管３Ｃに包着固定させれば良い。かかる振動放射には略３０乃至６０ｋＨｚ程度の高周波振動と、且好ましくは略１乃至５秒間程度の間欠的振動放射がスライム剥除のうえから望ましい。【００２９】  図８には高周波コンデンサー振動放射具１Ｂ及び高周波磁歪振動放射具１Ｃの原理図が示されてなるもので、同図８のＡはコンデンサー振動放射においては、絶縁素材からなる絶縁性基板４Ａの上面に金属素材からなり、その表面に微細若しくは粗雑な凹凸を形成させた金属背極板４Ｂが接合され、且この金属背極板４Ｂの上面にはその外面に金属膜４Ｃが形成された絶縁シート４Ｅが密閉接合される構成のもので、かかる構成により絶縁シート４Ｅと金属背極板４Ｂとの間に密閉される凹凸が空気薄層を形成して、コンデンサー機能を保持し、金属背極板４Ｂと金属膜４Ｃとに高周波電力２Ａを付加することにより、高周波振動放射がなされるもので、放射振動出力が比較的小さく且広面積に亘って振動放射をなす場合には極めて好都合である。絶縁シート４Ｅはポリエステルフィルムの厚さ５乃至３０μｍの外面のアルミや銅等を蒸着させたものが有利であり、且かかる構成における振動放射は絶縁シート４Ｅの厚さと空気薄層の厚さとにより共振周波数も影響を受けるが、本発明における実用使用の高周波振動が略２０乃至１００ｋＨｚのものでは、かかる構成で対処できる。【００３０】  図８のＢに高周波磁歪振動放射具１Ｃの原理図であって、所要の形状に形成された磁歪振動板材５Ａは磁歪フェライトを用いて所要の形状に形成され、且該磁歪振動板材５Ａにはバイアス磁場に交番磁場を付加させるための励起用コイル５Ｂを巻回させる脚部５Ｃが形成されている。そしてこの脚部５Ｃの下端にはバイアス磁場フェライト磁石５Ｄが挟持されており、且この励起用コイル５Ｂに共振周波数に等しい周波数の高周波電力２Ａを付加させることで、バイアス磁場に交番磁場が加重されて磁歪振動板材５Ａより高周波振動放射がなされるもので、該高周波磁歪振動放射具１Ｃは比較的狭い範囲に強力な高周波振動放射をなす場合には極めて有利となる。
【産業条の利用可能性】
【００３１】  使用目的と高周波振動放射に要する振動放射面積及び振動放射出力に合せて、高周波振動放射具を選択配設のうえ高周波電源より高周波電力を付加させることで簡便に使用できる。
【図面の簡単な説明】
【００３２】
【図１】  圧電磁器振動板の断面説明図である。
【図２】  高周波振動放射具の断面説明図である。
【図３】  高周波振動放射具の正面見取図である。
【図４】  高周波発振回路の例示図である。
【図５】  浴槽に使用する使用態様図である。
【図６】  家畜類の洗浄水槽における使用態様図である。
【図７】  排水管への使用態様図である。
【図８】  コンデンサー若しくは磁歪振動板による高周波振動の原理図である。
【符号の説明】
【００３３】  １    本発明浄化装置
１Ａ  高周波振動放射具
１Ｂ  高周波コンデンサー振動放射具
１Ｃ  高周波磁歪振動放射具
１０Ａ  圧電磁器板材
１１Ａ  金属板材
１２Ａ  金属膜
１０  振動放射板材
１０Ｂ  振動吸収板材
１１Ｂ  密閉基板
１２Ｂ  固定フック
１３Ｂ  吸着盤
１０Ｃ  磁歪振動板材
２    高周波電源
２Ａ  高周波電力
２０Ａ  トランジェスタ自励発振回路
２０Ｂ  主発振／電力増幅発振回路
２０Ｃ  サイリスタ発振回路
３    設備
３Ａ  浴槽
３Ｂ  水槽
３Ｃ  排水管路若しくは循環管路
３０    浴水
３１    給水若しくは排水循環水
４Ａ  絶縁性基板
４Ｂ  金属背極板
４Ｃ  金属膜
４Ｄ  耐水被覆層
４Ｅ  絶縁シート
５Ａ  磁歪振動板材
５Ｂ  励起用コイル
５Ｃ  脚部
５Ｄ  バイアス磁場フェライト磁石
４０    歩行路
【図１】
2008259793.tif 000003
【図２】
2008259793.tif 000004
【図３】
2008259793.tif 000005
【図４】
2008259793.tif 000006
【図５】
2008259793.tif 000007
【図６】
2008259793.tif 000008
【図７】
2008259793.tif 000009
【図８】
2008259793.tif 000010